(57)【要約】      （修正有）【課題】シールド性が良好で、レバーに大きな回転力がかかっても、回路基板から外れない電子機器を提供する。【解決手段】電子機器において、絶縁ケース１の後方側を覆うカバー６の存在によって、外部電波からのシールド性が良好になると共に、カバー６に設けられた取付脚６ｅの存在によって、回路基板７へのレバーターミナルの取付強度が大きくなって、レバー３に大きな回転力がかかっても、レバーターミナルが回路基板７から外れることが無い。【選択図】図５
0003122531.tif 000002
【実用新案登録請求の範囲】
【請求項１】
レバーターミナルを回路基板に取り付けた電子機器において、前記レバーターミナルは、リード線が挿入される孔を前面に有する絶縁ケースと、前記孔内から前記絶縁ケースの後方側に延びた状態で、前記絶縁ケースの下方から突出するように前記絶縁ケースに取り付けられた端子と、前記リード線を前記端子に押し付ける回転可能なレバーと、前記絶縁ケースの上面、両側面、及び後面のそれぞれを覆う上面板、側面板、及び後面板を有した金属材からなるカバーを備えると共に、前記カバーは、前記側面板、又は／及び後面板から下方に突出する取付脚を有し、前記回路基板は、配線パターンを有して、所望の電気回路が形成され、前記レバーターミナルの前記端子は、前記回路基板に挿通されて前記配線パターンに半田付けによって接続されると共に、前記取付脚が前記回路基板に挿通されて前記配線パターンの接地用パターンに半田付けによって接続されたことを特徴とする電子機器。
【請求項２】
前記取付脚の端部には係止部が設けられ、前記係止部は、前記回路基板に挿通されて、前記回路基板から抜き出た側に係止したことを特徴とする請求項１記載の電子機器。
【請求項３】
前記回路基板に取り付けられた金属材からなる箱形の枠体を有し、前記枠体は、前記レバーターミナルを配置するための逃げ部と、この逃げ部の奥部に設けられ、前記接地用パターンに半田付けによって接続された遮蔽板を有し、前記逃げ部に位置する前記回路基板には、前記レバーが前記回路基板から外方に突出し、前記カバーの前記後面板が前記遮蔽板に対向した状態で前記レバーターミナルを取り付けたことを特徴とする請求項１、又は２記載の電子機器。
【請求項４】
前記絶縁ケースの側面には係合部が設けられると共に、前記カバーの前記側面板には前記係合部に係合する掛け止め部が設けられ、前記カバーは、前記掛け止め部と前記後面板との間で前記絶縁ケースを狭持した前記レバーターミナルを有することを特徴とする請求項１から３の何れか１項に記載の電子機器。
【請求項５】
前記係合部は、前記絶縁ケースの側面から突出する突起で形成されると共に、前記掛け止め部は、前記側面板から前記絶縁ケースの側面側に突出し、前記突起に係合する切り起こし片によって形成され、前記切り起こし片と前記後面板との間で前記絶縁ケースを狭持した前記レバーターミナルを有することを特徴とする請求項４記載の電子機器。
【考案の詳細な説明】
【技術分野】
【０００１】
本考案は、ＡＭ／ＦＭチューナ等に使用されて好適な電子機器に関するものである。
【背景技術】
【０００２】
従来の電子機器に係る図面を説明すると、図６は従来の電子機器に使用されるレバーターミナルの正面図、図７は従来の電子機器に使用されるレバーターミナルの一部を切断した側面図、図８は従来の電子機器に係る要部の平面図、図９は従来の電子機器に係る要部断面図である。
【０００３】
次に、従来の電子機器に使用されるレバーターミナルの構成を図６，図７に基づいて説明すると、絶縁ケース５１は、前面に設けられた２個の孔５１ａと、後面壁５１ｂから後方に突出する突部５１ｃと、下方に突出する一対の脚部５１ｄを有する。
【０００４】
金属板からなる２個の端子５２は、Ｌ字状をなし、２個の孔５１ａ内に位置する接触部５２ａと、突部５１ｃに支持されて下方に突出する接続部５２ｂを有し、この接続部５２ｂは、絶縁ケース５１の後方から露出した状態で配置されている。
【０００５】
絶縁材からなる２個のレバー５３は、２個の端子５２のそれぞれに対応して配置された状態で、絶縁ケース５１に回転可能に取り付けられると共に、このレバー５３は、レバー５３と絶縁ケース５１との間に介在したバネ５４によって付勢されている。
【０００６】
そして、図７に示すように、レバー５３をバネ５４に抗して大きな回転力で矢印Ａ方向に回転した状態で、リード線（図示せず）を孔５１ａ内に挿入した後、レバー５３の回転力を解除すると、リード線は、バネ５４の押圧力を介してレバー５３によって端子５２の接触部５２ａに押し付けられて端子５２に接続するようになって、レバーターミナルが形成されている。
【０００７】
次に、このようなレバーターミナルを備えた従来の電子機器の構成を図８，図９に基づいて説明すると、配線パターン（図示せず）が設けられた回路基板５５には、金属板からなる箱形の枠体５６が取り付けられ、この枠体５６には、レバーターミナルを配置するための逃げ部５７と、この逃げ部５７の奥部に設けられた遮蔽板５８を有し、この遮蔽板５８の端部は、回路基板５５を貫通して配線パターンに半田付けによって接続されている。
【０００８】
そして、レバーターミナルは、絶縁ケース５１の後方が遮蔽板５８に対向した状態で逃げ部５７内に配置されて、脚部５１ｄが回路基板５５を貫通して回路基板５５に係止されると共に、端子５２の接続部５２ｂが回路基板５５を貫通して配線パターンに半田付けによって接続されて、従来の電子機器が形成されている（例えば、特許文献１参照）。
【特許文献１】特開２０００−１００５１０号公報
【考案の開示】
【考案が解決しようとする課題】
【０００９】
しかし、従来の電子機器にあっては、レバーターミナルの端子５２が絶縁ケース５１の後方から露出した状態となっており、端子５２の接続部５２ｂと対向する遮蔽板５８のみでは外部電波からのシールド性が悪くなる上に、レバーターミナルが回路基板５５に取り付けられた際、レバーターミナルの回路基板５５への取付強度が弱く、レバー５３に大きな回転力がかかると、レバーターミナルが回路基板５５から外れるという問題がある。
【００１０】
本考案は、このような従来技術の実情に鑑みてなされたもので、その目的は、シールド性が良好で、レバーに大きな回転力がかかっても、回路基板から外れない電子機器を提供することにある。
【課題を解決するための手段】
【００１１】
上記の目的を達成するために、本考案は、レバーターミナルを回路基板に取り付けた電子機器において、レバーターミナルは、リード線が挿入される孔を前面に有する絶縁ケースと、孔内から絶縁ケースの後方側に延びた状態で、絶縁ケースの下方から突出するように絶縁ケースに取り付けられた端子と、リード線を端子に押し付ける回転可能なレバーと、絶縁ケースの上面、両側面、及び後面のそれぞれを覆う上面板、側面板、及び後面板を有した金属材からなるカバーを備えると共に、カバーは、側面板、又は／及び後面板から下方に突出する取付脚を有し、回路基板は、配線パターンを有して、所望の電気回路が形成され、レバーターミナルの端子は、回路基板に挿通されて配線パターンに半田付けによって接続されると共に、取付脚が回路基板に挿通されて配線パターンの接地用パターンに半田付けによって接続されたことを特徴としている。
【００１２】
このように構成した本考案は、絶縁ケースの後方側を覆うカバーの存在によって、端子の後方側がカバーで覆われて、外部電波からのシールド性が良好になると共に、カバーに設けられた取付脚の存在によって、回路基板には、端子とカバーの取付脚の位置でレバーターミナルを確実に取り付けでき、取付強度が大きくなって、レバーに大きな回転力がかかっても、レバーターミナルが回路基板から外れることが無い。
【００１３】
また、本考案は、上記考案において、取付脚の端部には係止部が設けられ、係止部は、回路基板に挿通されて、回路基板から抜き出た側に係止したことを特徴としている。
【００１４】
このように構成した本考案は、係止部の存在によって、カバーが回路基板に仮止めされた際、カバーと絶縁ケースの姿勢が安定できて、レバーターミナルが回路基板に対して精度の良い取付ができる。
【００１５】
また、本考案は、上記考案において、回路基板に取り付けられた金属材からなる箱形の枠体を有し、枠体は、レバーターミナルを配置するための逃げ部と、この逃げ部の奥部に設けられ、接地用パターンに半田付けによって接続された遮蔽板を有し、逃げ部に位置する回路基板には、レバーが回路基板から外方に突出し、カバーの後面板が遮蔽板に対向した状態でレバーターミナルを取り付けたことを特徴としている。
【００１６】
このように構成した本考案は、枠体の遮蔽板の存在によって、枠体内への外電波の進入防止と、レバーターミナルの２重シールドができ、シールド効果の良好なものが得られる。
【００１７】
また、本考案は、上記考案において、絶縁ケースの側面には係合部が設けられると共に、カバーの側面板には係合部に係合する掛け止め部が設けられ、カバーは、掛け止め部と後面板との間で絶縁ケースを狭持したレバーターミナルを有することを特徴としている。
【００１８】
このように構成した本考案は、掛け止め部と後面板との間で絶縁ケースを狭持しているため、レバーに大きな回転力がかかっても、回路基板に取り付けられたカバーによって、絶縁ケースの回転力が抑制されて、回路基板からのレバーターミナルの外れが防止できると共に、カバーの取付に際して、掛け止め部と後面板をガイドして、絶縁ケースへのカバーの組込が容易にできる。
【００１９】
また、本考案は、上記考案において、係合部は、絶縁ケースの側面から突出する突起で形成されると共に、掛け止め部は、側面板から絶縁ケースの側面側に突出し、突起に係合する切り起こし片によって形成され、切り起こし片と後面板との間で絶縁ケースを狭持したレバーターミナルを有することを特徴としている。
【００２０】
このように構成した本考案は、突起と切り起こし片の存在によって、その構成が簡単で、生産性が良く、且つ、絶縁ケースへのカバーの組込の容易なものが得られる。
【考案の効果】
【００２１】
本考案は、絶縁ケースの後方側を覆うカバーの存在によって、端子の後方側がカバーで覆われて、外部電波からのシールド性が良好になると共に、カバーに設けられた取付脚の存在によって、回路基板には、端子とカバーの取付脚の位置でレバーターミナルを確実に取り付けでき、取付強度が大きくなって、レバーに大きな回転力がかかっても、レバーターミナルが回路基板から外れることが無い。
【考案を実施するための最良の形態】
【００２２】
考案の実施の形態について図面を参照して説明すると、図１は本考案の電子機器に使用されるレバーターミナルの分解斜視図、図２は本考案の電子機器に使用されるレバーターミナルの要部断面図、図３は本考案の電子機器に使用されるレバーターミナルに係り、絶縁ケースとカバーの取付状態を示す要部断面図、図４は本考案の電子機器に係る要部の斜視図、図５は本考案の電子機器に係る要部断面図である。
【００２３】
次に、本考案の電子機器に使用されるレバーターミナルの構成を図１〜図５に基づいて説明すると、絶縁ケース１は、絶縁材の成形品で形成され、前面に設けられた２個の孔１ａと、両側面の後方側に設けられた突起からなる係合部１ｂと、両側面の後方側の位置から下方に突出する一対の脚部１ｃを有する。
【００２４】
金属板からなる２個の端子２は、Ｌ字状をなし、２個の孔１ａ内に位置する接触部２ａと、この接触部２ａから後方側に延びた状態で、絶縁ケース１の下方に突出する接続部２ｂを有し、この端子２は、絶縁ケース１に取り付けられると共に、接続部２ｂが絶縁ケース１の後方から露出した状態で配置されている。
【００２５】
絶縁材からなる１個のレバー３は、絶縁ケース１の前面から突出する操作部３ａと、回転可能な動作を行うために、絶縁ケース１に支持された支持部３ｂと、２個の端子２のそれぞれに対応して配置された２個の押圧部３ｃを有すると共に、このレバー３と絶縁ケース１との間には、コイルバネ等からなるバネ４が介在されている。
【００２６】
このバネ４は、図２に示すように、操作部３ａを矢印Ａ方向に押圧した時に、大きな回転力を付与すると共に、孔１ａに挿入されたリード線５が押圧部３ｃを介して接触部２ａに強く接触するようにしている。
【００２７】
金属板からなるカバー６は、特に図１に示すように、絶縁ケース１の上面、両側面、及び後面のそれぞれを覆う上面板６ａ，側面板６ｂ、及び後面板６ｃと、両側面板６ｂに設けられた切り起こし片からなる掛け止め部６ｄと、両側面板６ｂと後面板６ｃの下端から下方に突出する取付脚６ｅと、この取付脚６ｅの端部に設けられたく字状の係止部６ｆと、絶縁ケース１の係合部１ｂとほぼ同じ高さを持って、両側面板６ｂの前方端部に設けられた曲げ部６ｇと、下方が開放された開放部６ｈを有する。
【００２８】
このカバー６は、開放部６ｈ側から絶縁ケース１の上面にはめ合わされ、後面板６ｃが絶縁ケース１の後面に、また、掛け止め部６ｄが係合部１ｂにガイドされて、絶縁ケース１に取り付けられる。
【００２９】
そして、カバー６が絶縁ケース１に取り付けられた際、カバー６の上面板６ａ，両側面板６ｂは、絶縁ケース１の上面、両側面の後方側を覆うと共に、後面板６ｃは、絶縁ケース１の後面全面を覆って、後方に露出する端子２を遮蔽するようになっている。
【００３０】
また、カバー６が絶縁ケース１に取り付けられた際、後面板６ｃと掛け止め部６ｄは、突起である係合部１ｂの位置で絶縁ケース１を狭持すると共に、取付脚６ｅは、絶縁ケース１の下方から突出し、更に、曲げ部６ｇの端部は、絶縁ケース１の側面に当接して、レバーターミナルが形成されている。
【００３１】
次に、このようなレバーターミナルを備えた本考案の電子機器の構成を図４，図５に基づいて説明すると、回路基板７には、配線パターン８と、所望の電気回路を形成するための種々の電子部品９が設けられると共に、この回路基板７には、電気回路を覆う金属板からなる箱形の枠体１０が取り付けられている。
【００３２】
この枠体１０には、回路基板７を露出して、レバーターミナルを配置するための逃げ部１１と、この逃げ部１１の奥部に設けられた遮蔽板１２を有し、この遮蔽板１２の下端部は、回路基板７を貫通して配線パターン８の接地用パターンに半田付けによって接続されている。
【００３３】
そして、レバーターミナルは、絶縁ケース１の後方に位置する後面板６ｃが遮蔽板１２に対向した状態で逃げ部１１内に配置されて、絶縁ケース１の脚部１ｃとカバー６の取付脚６ｅの係止部６ｆが回路基板７を貫通して抜け出た側で回路基板７に係止されると共に、回路基板７から抜き出た取付脚６ｅは、配線パターン８の接地用パターンに半田付けによって接続される。
【００３４】
また、端子２の接続部２ｂも、回路基板７を貫通して配線パターン８に半田付けによって接続されると共に、レバー３の操作部３ａは、回転動作ができるように、回路基板７から外方に突出して、本考案の電子機器が形成されている。
【００３５】
このような構成を有する本考案の電子機器において、リード線５の取付や取り外し時に、レバー３に大きな回転力がかかっても、カバー６の存在によって、回路基板７へのレバーターミナルの取付強度が増大して、レバーターミナルの外れが無くなる。
【図面の簡単な説明】
【００３６】
【図１】本考案の電子機器に使用されるレバーターミナルの分解斜視図である。
【図２】本考案の電子機器に使用されるレバーターミナルの要部断面図である。
【図３】本考案の電子機器に使用されるレバーターミナルに係り、絶縁ケースとカバーの取付状態を示す要部断面図である。
【図４】本発明の電子機器に係る要部の斜視図である。
【図５】本発明の電子機器に係る要部断面図である。
【図６】従来の電子機器に使用されるレバーターミナルの正面図である。
【図７】従来の電子機器に使用されるレバーターミナルの一部を切断した側面図である。
【図８】従来の電子機器に係る要部の平面図である。
【図９】従来の電子機器に係る要部断面図である。
【符号の説明】
【００３７】
１  絶縁ケース
１ａ  孔
１ｂ  係合部
１ｃ  脚部
２  端子
２ａ  接触部
２ｂ  接続部
３  レバー
３ａ  操作部
３ｂ  支持部
３ｃ  押圧部
４  バネ
５  リード線
６  カバー
６ａ  上面板
６ｂ  側面板
６ｃ  後面板
６ｄ  掛け止め部
６ｅ  取付脚
６ｆ  係止部
６ｇ  曲げ部
６ｈ  開放部
７  回路基板
８  配線パターン
９  電子部品
１０  枠体
１１  逃げ部
１２  遮蔽板
【図１】
0003122531.tif 000003
【図２】
0003122531.tif 000004
【図３】
0003122531.tif 000005
【図４】
0003122531.tif 000006
【図５】
0003122531.tif 000007
【図６】
0003122531.tif 000008
【図７】
0003122531.tif 000009
【図８】
0003122531.tif 000010
【図９】
0003122531.tif 000011